(57)【要約】【課題】　移植可能なサブストレートを調製するためのより効率がよくより効果的な方法および装置を提供することを目的とする。【解決手段】　入口２２および出口２４を備え、液体を選択的に保持するリザーバ２２’と、リザーバ２２’に結合されると共に入口および出口を備え、液体透過性であると共に、多孔性の生体適合性を有する移植可能なサブストレートを保持するコンテナ２４と、コンテナ２４およびリザーバ２２’に結合され、リザーバ２２’内の任意の液体に一定の力を加えてコンテナ２４を通る選択され制御された流量の液体の流れを生み出すように動作する駆動機構１４とを有する。【選択図】　　　　図１
2004130107.tif 000002
【特許請求の範囲】
【請求項１】
　入口および出口を備え、液体を選択的に保持するリザーバと、
　上記リザーバに結合されると共に入口および出口を備え、液体透過性であると共に、多孔性の生体適合性を有する移植可能なサブストレートを保持するコンテナと、
　上記コンテナおよび上記リザーバに結合され、上記リザーバ内の任意の液体に一定の力を加えて上記コンテナを通る選択され制御された流量の液体の流れを生み出すように動作する駆動機構と
　を有する、移植用の骨移植片を調製するためのシステム。
【請求項２】
　各々が開いた端部および閉じた端部を備えた垂直に配置された第１のベローおよび第２のベローと、
　上記第１のベローおよび上記第２のベローの間に配置されて上記第１のベローおよび上記第２のベローの各々の上記開いた端部と流体連結された液体透過性のコンテナと、
　上記第１のベローおよび上記第２のベローの少なくとも一方の上記閉じた端部と機能的に結合されていて、上記第１のベローおよび上記第２のベローの一方に圧縮力を加えるように選択的に駆動されて、上記第１のベローおよび上記第２のベローの一方内の任意の液体を上記開いた端部から上記コンテナを通して選択され制御された流量で流すようにする、駆動機構と
　を有する、移植用の骨移植片を調製するためのシステム。
【請求項３】
　入口を備えた第１の端部と、出口を備えた第２の端部と、上記第１の端部および上記第２の端部の間に延在する少なくともひとつの側壁とを有するチャンバと、
　上記チャンバ内で上記第１の端部および上記第２の端部の間に配置され、移植可能なサブストレートを保持して上記移植可能なサブストレートを通して液体を流せるようにするバスケットと、
　上記チャンバの上記入口および上記出口の少なくとも一方に結合されていて、上記バスケット内に配置された上記移植可能なサブストレートを通して実質的に一定の流量で液体を流すように動作する駆動機構と
　を有する、移植可能な生物学的なサブストレートを調製するためのシステム。
【請求項４】
　長手方向の軸と、近位の端部と、遠位の端部と、実質的に中空の内側部分を画定する少なくともひとつの液体透過性の側壁とを備えた液体保持部材と、
　上記液体保持部材に嵌め合わされて上記液体保持部材の上記長手方向の軸と実質的に直角の向きに延在し、液体を通して流すように適合された少なくともひとつの多孔性の部分を備えたベース部材と、
　上記液体保持部材の上記中空の内側部分内に取り外し可能に配置され、上記ベース部材と実質的に平行な向きに延在し、ハンドル、および、液体を通して流すように適合された少なくともひとつの多孔性の部分を含む第１の蓋部材と、
　上記液体保持部材の上記近位の端部に取り外し可能に嵌め合わされた第２の蓋部材と
　を有する、移植可能なサブストレートを保持するためのコンテナ。
【発明の詳細な説明】
【技術分野】
【０００１】
　本発明は、移植可能なサブストレート（substrate）を調製するための装置およびシステムに関し、より詳しくは、骨移植片などの移植可能なサブストレートを通して液体を流すための装置およびシステムに関する。
【背景技術】
【０００２】
　骨移植片は、骨折の治療、外傷または感染によって引き起こされた骨の間隙の治療、関節の修正手術、および、口腔外科手術／顎顔面外科手術に用いられることが多い。骨移植片は、その内部に向かって宿主骨（host bone）が再生し治癒されるフレームワークを提供する。一旦移植されると、骨細胞が成長して骨折した骨セグメントを接続するにつれて、骨細胞は骨移植片の多孔性のミクロ構造内に向かってかつミクロ構造を通って組み立てられて（weave）、新しい組織、血液細胞、および軟組織を支持する。
【０００３】
　骨細胞は、患者から回収された骨を含むさまざまな材料から調製される。しかし、骨を回収する手術手技は、高いコスト、および、瘢痕、血液の喪失、痛み、長い手術時間およびリハビリテーション期間、および感染の危険を含めた高い罹患率をもたらす。さらに、ある臨床的セッティングでは、移植部位の体積が利用可能な自己移植片の体積を越えることがある。したがって、自己移植片の代替物が、骨移植手術の罹患率およびコストを低減するために開発されてきた。そのような代替物には、セラミックス、生体高分子（バイオポリマー）、加工された同種異系骨移植片、およびコラーゲンベースのマトリックスなどの精製されたまたは合成された材料が含まれる。これらの材料は、典型的には、骨髄細胞のキャリアーとして用いられるので、移植の前に調製されなければならない。
【０００４】
　特許文献１および特許文献２は、豊富な個体数の結合組織の前駆細胞を備えた移植可能な骨移植片を調製するための装置および方法を開示している。骨移植片にある生物学的に活性な細胞を注入することによって、新たに生成される骨の速度および質が有意に改善されることが見出された。骨移植片は、吸引された骨髄を１度または複数回流して、骨髄内に収容されている幹細胞を骨マトリックス内に収集および濃縮することによって調製される。この手順は非常に有効であるが、時間をも要するもので、典型的には、吸引手順に約２０分を要し、さらに骨マトリックス調製手順に２０分を要する。
【特許文献１】米国特許第５，８２４，０８４号明細書（第２欄〜４欄、第１図）
【特許文献２】米国特許第６，０４９，０２６号明細書（第３欄〜６欄、第１図）
【発明の開示】
【発明が解決しようとする課題】
【０００５】
　したがって、移植可能なサブストレートを調製するためのより効率がよくより効果的な方法および装置が必要とされている。
【課題を解決するための手段】
【０００６】
　大まかに言って、本発明は、入口および出口を含むリザーバ、リザーバに結合されていると共に入口および出口を備えたコンテナ、および、コンテナおよびリザーバに結合された駆動機構を有する移植用の骨移植片を調製するためのシステムを提供する。リザーバは、好ましくは、液体を選択的に保持することができ、コンテナは、好ましくは、液体透過性であって、かつ多孔性の生体適合性の移植可能なサブストレートを保持することができる。使用時には、駆動機構は、リザーバ内の任意の液体に一定の力を加えるように動作して、選択され制御された流量で液体をコンテナを通して流す。システムは、必要に応じて、コンテナの出口とリザーバの入口の間に延在する流体リサイクル導管をさらに含み、リザーバに液体を再循環する。液体リサイクル導管は、コンテナの出口からコンテナ内に液体が流入するのを防止するための逆止弁を含んでいてよい。ある例示的な実施の形態では、リザーバ、コンテナ、および駆動機構のうちの少なくともひとつがハウジング内に配置されている。
【０００７】
　コンテナはさまざまな構成を有してよい。ある実施の形態では、コンテナは、多孔性の底面、多孔性の上面、および、少なくともひとつの無孔性（non-porous）の側壁を有するトレーに類似した装置であってよい。システムに用いられる駆動機構もさまざまな構成を有してよい。ある実施の形態では、駆動機構は一定の吸引力を発生して液体をコンテナを通して流すように動作するひとつまたは複数の注射器から形成されている。各注射器は、好ましくは、バレル、およびバレル内に配置されたプランジャを含む。プランジャは、好ましくは、定力ばねに結合されていて、その定力ばねは、プランジャが実質的にバレル内に配置される初期位置から、プランジャが実質的にバレルから引き出された最終位置にプランジャを後退させるように動作する。使用時には、注射器は、リザーバ内の液体に一定の圧力差を加えて、システムの構成に応じて、液体をリザーバからコンテナを通して流し、またはコンテナを通してリザーバへ流すように動作する。ある例示的な実施の形態では、プランジャはバレルから実質的に完全に引き出された位置に付勢されている。
【０００８】
　他の実施の形態では、システムは、コンテナの出口から液体を収集するように動作する収集タンクと、収集タンクとリザーバの入口との間に延在する液体リサイクル導管とを含む。回収導管が液体リサイクル導管および駆動機構の間に延在していてよい。
【０００９】
　他の実施の形態では、駆動機構は、拡張位置および収縮位置の間を移動可能なベローを含む。この実施の形態では、リザーバは好ましくはコンテナの下流側に配置されていて、液体はコンテナの出口からリザーバの入口へ流れるようになっている。したがって、ベローはリザーバの出口からの液体を収集してコンテナの入口に液体を運ぶように動作する。システムは、コンテナの入口およびベローの間に延在する第１の導管と、リザーバの出口およびベローの間に延在する第２の導管とをさらに含んでよい。第１の導管は、必要に応じて、ベローからコンテナへの向きにのみ液体を流すように動作する逆止弁を含んでいてよく、第２の導管は、リザーバからベローへの向きにのみ液体を流すように動作する逆止弁を含んでいてよい。
【００１０】
　別の側面に基づけば、システムは、ベローに力を加えてベローの拡張および収縮の結果としてリザーバからベローへ、次にベローからコンテナへ液体を移送するように適合されたプランジャ装置を含んでよい。プランジャ装置は、好ましくは、ベローが拡張した第１の位置、および、ベローが収縮した第２の位置のいずれかにプランジャを付勢するように動作する定力ばねに結合されている。ある実施の形態では、プランジャは第２の位置に付勢されていて、プランジャ装置を定力ばねの付勢力に対抗して移動することによって、リザーバからベローへ液体を吸引する吸引力が形成される。その後、付勢力はベローを収縮させて液体をコンテナを通して押し流す。他の実施の形態では、プランジャは第１の位置に付勢されていて、プランジャ装置を定力ばねの付勢力に逆らって移動することによって、液体をリザーバを通して流すための正の圧力が形成される。その後、付勢力はベローを拡張させて液体をコンテナからベロー内に吸引する。
【００１１】
　他の実施の形態では、移植用の骨移植片を調製するためのシステムが提供され、そのシステムは、各々が開いた端部および閉じた端部を備えた第１および第２の垂直に配置されたベローと、第１のベローおよび第２のベローの間に配置されて第１のベローおよび第２のベローの各々の開いた端部と流体連結された液体透過性のコンテナと、第１のベローおよび第２のベローの少なくとも一方の閉じた端部に機能的に結合された駆動機構とを有する。駆動機構は、選択的に作動して、第１のベローおよび第２のベローの一方に圧縮力を加えて、第１のベローおよび第２のベローの一方の中の任意の液体をそのベローの開いた端部からコンテナを通して選択され制御された流量で流すようにする。システムは第１のベローおよび第２のベローの少なくとも一方とコンテナとの間に配置された流量調整装置をも含んでいてよい。流量調整装置は、第１のベローおよび第２のベローの一方からコンテナへ流れる液体の流量を選択的に制御し、コンテナから第１のベローおよび第２のベローの一方へ液体を自由に流すように動作する。システムは、第１のベロー、第２のベロー、コンテナ、および駆動機構を包囲するハウジングをも必要に応じて含んでよい。ハウジングは、好ましくは、実質的に中空で、第１のベローおよび第２のベローが拡張できるようにしている。
【００１２】
　別の実施の形態では、移植可能な生物学的サブストレートを調製するためのシステムが提供され、そのシステムは、入口を備えた第１の端部、出口を備えた第２の端部、および第１の端部および第２の端部の間に延在する少なくともひとつの側壁を含むチャンバと、チャンバ内で第１の端部および第２の端部の間に配置されて移植可能なサブストレートを保持しかつ移植可能なサブストレートを通して液体を流すようにするバスケットと、チャンバの入口および出口の少なくとも一方と結合された駆動機構とを有する。駆動機構は、バスケット内に配置された移植可能なサブストレートを通して実質的に一定の流量で液体を流すように動作する。ある例示的な実施の形態では、バスケットは、互いに間隔を置いて配置され移植可能なサブストレートを互いの間に保持するように動作する実質的に平坦な第１の多孔性の部材および第２の多孔性の部材を含む。システムは、液体の入口および液体の出口の間に延在するリサイクル導管をも含み、液体がチャンバを通って再循環されてよい。
【００１３】
　本発明は、移植可能なサブストレートを保持するためのコンテナをも提供する。そのコンテナは、長手方向の軸、近位の端部、遠位の端部、および実質的に中空の内側部分を画定する少なくともひとつの液体透過性の側壁を備えた液体保持部材と、液体保持部材の長手方向の軸に対して実質的に直角な向きに延在して液体保持部材に嵌め合わされたベース部材とを含む。ベース部材は、ベース部材を通して液体を流すように適合された少なくともひとつの多孔性の部分を有する。コンテナは、液体保持部材の中空の内側部分内に取り外し可能に配置された第１の蓋部材と、液体保持部材の近位の端部に取り外し可能に嵌め合わされた第２の蓋部材とをさらに含む。第１の蓋部材は、好ましくは、液体保持部材の中空の内側部分の略中央に配置されかつベース部材と実質的に平行に延在している。第１の蓋部材は、ハンドルと、第１の蓋部材を通して液体を流すように適合された少なくともひとつの多孔性の部分とを含んでいてよい。ある好ましい実施の形態では、第１の蓋部材は、正の機械的な係合（positive mechanical engagement）によって液体保持部材に取り外し可能に嵌め合わされている。他の側面では、コンテナは、液体保持部材を取り外し可能に受容するための凹部を備えた支持部材を含んでいてよい。
【発明の効果】
【００１４】
　本発明によれば、選択され制御された流量で液体を移植可能なサブストレートを通して流し、より効率がよくより効果的に移植可能なサブストレートを調製できる効果がある。
【発明を実施するための最良の形態】
【００１５】
　本発明は、添付の図面と共に行われる以下の詳細な説明からより十分に理解される。
【００１６】
　本発明は、大まかに言って、骨移植片のような移植可能なサブストレートを調製するためのシステムを提供する。そのシステムは、好ましくは、選択され制御された流量で移植可能なサブストレートを通して液体を流して、液体中の生物学的に活性な材料が移植可能なサブストレートに取り付けられるようにして、強化されたサブストレートを提供するのに用いられる。本発明は、予め選択された制御された流量を用いることで液体中の生物学的に活性な材料がサブストレートを通って流れるときにより容易に移植可能なサブストレートに取り付けられるという点でとりわけ有益である。
【００１７】
　さまざまな移植可能なサブストレートおよび液体が本発明のシステムと共に用いられることが当業者には適切に理解される。非限定的な例として、適切な移植可能なサブストレートには、骨移植片、癒合ケージ（fusion cages）、セラミック骨サブストレート、皮膚腱（skin tendon）および靭帯などの軟組織移植片、および、その他の移植可能な材料がある。適切な液体には、例えば、骨髄、血液、血小板多血漿、胎盤、関節液、および羊水などの自己再生性のたんぱく質を含んだ液体、および、幹細胞、成長因子、およびたんぱく質を含んだ懸濁液がある。
【００１８】
　本発明のシステムは、さまざまな構成を有してよいが、好ましくは、移植可能なサブストレートを保持するように適合されたコンテナと、コンテナに結合されていてコンテナ内に配置された移植可能なサブストレートを通して好ましくは選択され制御された流量で液体を流すための駆動機構とを含む。コンテナおよび駆動機構は、ひとつの一体的なユニットとして形成されていてよく、またはその代わりに、互いに結合された別個のコンポーネントとして形成されていてもよい。使用時には、システムは外部の液体供給源に結合されてよく、またはその代わりに、液体がシステム内に配置されていてもよく、その場合、システムはシステムを通って液体を流すために力を加えられるようにするために密閉されてよい。
【００１９】
　図１から図１０Ｃは本発明の好ましい実施の形態を例示しているが、本発明の範囲を逸脱することなく開示された実施の形態に改造および変更が行われることが当業者には適切に理解される。非限定的な例として、一定の流量で液体を移植可能なサブストレートを通して流す代わりに、液体の供給源内で一定の速度で移植可能なサブストレートを動かすようにシステムを変更してよい。さらに、開示されたさまざまな実施の形態が他の実施の形態に存在するさまざまな特徴部を含むように変更されてよく、開示された特徴部の任意の組み合わせが本発明に基づくシステムを提供するために用いられてよい。
【００２０】
　図１は、本発明に基づくシステム１０のある実施の形態の機能的な模式図である。図示されているように、システム１０はチャンバまたはコンテナ１２を含み、コンテナ１２はコンテナ１２を通して液体を流すための駆動機構１４に結合されている。コンテナ１２および駆動機構１４は、実質的に任意の構成を有してよく、本発明に用いるためのコンテナおよび駆動機構のさまざまな実施の形態が図２Ａから図４Ａ、図５Ａから図５Ｂ、図７Ａから図７Ｃ、図８Ｂ、および図９に示されている。コンテナおよび駆動機構の構成は本発明の範囲を逸脱することなく大幅に変更されてよいことが当業者には適切に理解される。
【００２１】
　コンテナ１２は実質的に任意の形状および寸法を有してよいが、図１は、近位の端部１６、遠位の端部１８、および生物学的に活性な液体を受容し保持するための液体のリザーバ２２’を形成する中空の内部を備えた略円錐形のコンテナ１２を示している。コンテナ１２の近位の端部１６は、好ましくは、中央開口を有し、取り外し可能なカバー（図示せず）を受容するように適合されている。入口２２が、コンテナ１２の近位の端部１６の近くに、コンテナ１２の近位の端部１６に、または、蓋（またはカバー：図示せず）に形成されていて、出口２０が、コンテナ１２の遠位の端部１８にまたは遠位の端部１８の近くに形成されている。入口２２および出口２０は任意の形状および寸法を有してよく、非限定的な例として、入口２２および出口２０はポートまたは弁の形態を有する。コンテナ１２は、移植可能なサブストレートを保持するためのバスケット２４またはそれに類似する構造をリザーバ２２’内に配置してさらに含んでいる。バスケット２４またはバスケット２４の一部は、コンテナ１２内に取り外し可能に配置されていてよく、または、コンテナ１２と一体的に形成されていてもよい。バスケット２４、または、バスケット２４の少なくとも一部は、バスケット２４内に配置された移植可能なサブストレートを通して液体を流すようにするために液体透過性である。バスケット２４は、さまざまな構成を有してよく、さまざまな実施の形態が以下により詳細に記載される。
【００２２】
　図１のシステムと共に用いられるコンテナの例示的な実施の形態が図２Ａから図２Ｂに示されている。コンテナ２００は、液体保持部材２０２と、液体保持部材２０２内に配置された第１の蓋（またはバスケット）２０４と、液体保持部材２０２の一方の端部に配置された第２の蓋（またはカバー）２０６とを含む。液体保持部材２０２は、正方形、円筒形など、実質的に任意の形状を有してよく、任意の寸法を有してよい。図示されているように、液体保持部材２０２は、長手方向の軸ｌ、近位の端部２１２、遠位の端部２１０、および、近位の端部２１２および遠位の端部２１０の間に延在する側壁２０８を備えた実質的に円筒形の長寸の形状を有する。側壁２０８は、実質的に中空の内部２１４を画定し、内部２１４は好ましくは移植可能なサブストレートまたは移植可能なサブストレートを保持する構造を受容するように適合された寸法および形状を有する。液体保持部材２０２の遠位の端部２１０は、好ましくは、側壁２０８と一体形成された、側壁２０８に取り外し可能に取り付けられた、または、側壁２０８に固着されたベース部材２１６を含み、近位の端部２１２は好ましくはバスケット２０４を受容するように開いている。
【００２３】
　バスケット２０４はさまざまな構成であってよいが、移植可能なサブストレートを保持しかつ移植可能なサブストレートを通して液体を流すように適合されていなければならない。図２Ｂに示されているように、バスケット２０４は液体保持部材２０２の中空の内部２１４内に適合するような寸法の略円筒形の形状を有する。バスケット２０４は、近位の端部２２８、遠位の端部２３０、および近位の端部２２８および遠位の端部２３０を通って延在する中心開口２２６をさらに含む。近位の端部２２８および遠位の端部２３０の間のバスケット２０４の深さｄは変更されてよいが、骨移植片などの移植可能なサブストレートを保持するのに十分な値でなければならない。バスケット２０４内の中心開口２２６は、さまざまな形状を有してよいが、好ましくは調製することが所望される移植片と同じ形状を有することが好ましい。バスケット２０４は、中心開口２２６および中心開口２２６内に配置された移植可能なサブストレートを通して液体を流すようにするために中心開口２２６の両端を横切るように延在して両端に配置された第１の多孔性部材および第２の多孔性部材（図示せず）をさらに含む。第１の多孔性部材および第２の多孔性部材は好ましくは実質的に平坦な部材からなりかつ互いに間隔を置いて平行に配置されている。第１の多孔性部材および第２の多孔性部材は、例えばメッシュ生地、織布スクリーン、ネット、および、レーザーエッチング、打ち抜き、または射出成形によってプラスチックインサートまたは金属インサートに形成された孔を含むさまざまな材料から形成されてよい。多孔性部材を形成する材料は、必要に応じて、移植可能なサブストレートの一部を形成するように生物学的な適合性を有するものでもよい。代わりに、多孔性部材はバスケットと一体形成されていてもよい。例示的な実施の形態では、中心開口２２６の遠位の端部２３０に配置された多孔性部材はバスケット２０４と一体形成され、または、バスケット２０４に嵌め合わされて固着されていて、中心開口２２６の近位の端部２２８の多孔性部材は移植可能なサブストレートを中心開口２２６内に配置できるようにするために取り外し可能にバスケット２０４に嵌め合わされている。各多孔性部材に形成され孔または開口は、任意の形状および寸法を有してよいが、好ましくは実質的に１７５μｍから実質的に６００μｍまでの範囲内の寸法を有する。
【００２４】
　バスケット２０４は、バスケット２０４を液体保持部材２０２に嵌め合わせるためのひとつまたは複数の嵌め合い要素をさらに含んでいてよい。非限定的な例として、図２Ｂは、バスケット２０４に形成された第１のボア２２２および第２のボア２２４を通って延在して液体保持部材２０２の基部２１０に形成された対応するボア（図示せず）と嵌め合わされる第１のピン部材２１８および第２のピン部材２２０を例示している。バスケット２０４を液体保持部材２０２に嵌め合わせるために、スナップ嵌め、磁力による係合、しまり嵌め、およびねじによる係合を含むさまざまな方法を用いることができることが当業者に適切に理解される。
【００２５】
　コンテナ２００は、図２Ｂに示された蓋２０６をも含み、蓋２０６は液体保持部材２０２の近位の端部２１２に取り外し可能に嵌め合わされる。蓋２０６は任意の形状および寸法を有してよいが、液体保持部材２０２の中空の内部２１４を密閉するような寸法を有しなければならない。図２Ｂに示されているように、蓋２０６は実質的に円筒形の形状を有し、蓋２０６を容易につかめるようにするための第１の移動止め２３２および第２の移動止め２３４を含む。蓋２０６は、近位の端部２１２に形成されたリム２３６のような液体保持部材２０２の近位の端部２１２の一部と嵌め合わされ、または代わりに、蓋２０６は液体保持部材２０２の近位の端部２０２の周囲を取り囲んで延在してよい。蓋２０６を液体保持部材２０２に嵌め合わせるために、スナップ嵌め、磁力による係合、しまり嵌め、およびねじによる係合を含むさまざまな方法を用いることができる。ある例示的な実施の形態では、蓋２０６はある程度の弾性を有する材料から形成されていて、蓋２０６が液体保持部材２０２の近位の端部２１２の周囲に嵌め合わされるように伸張できるようにされている。
【００２６】
　コンテナ２００は、入口２３８および出口２４０をさらに有する。入口２３８および出口２４０はコンテナ２００の任意の箇所に配置されてよいが、入口２３８はバスケット２０４よりも近位の側に配置されなければならず、出口２４０はバスケット２０４よりも遠位の側に配置されなければならない。図２Ｂは、入口２３８が蓋２０６に形成され、出口２４０が液体保持部材２０２の側壁２０８に形成されている実施の形態を示している。入口２３８および出口２４０は各々側壁に形成された開口またはポートからなっていてよく、必要に応じて入口２３８および／または出口２４０を外部の液体供給源または液体導管に接続するための、および／または、入口２３８および／または出口２４０を通過する液体の流れを制御するための弁２４２を含んでいてよい。
【００２７】
　図１を再び参照すると、コンテナ１２は機械的な駆動体３１に嵌め合わされた２つの注射器２６，２８を備えた駆動機構１４に結合されている。注射器２６，２８の一方または両方は必要に応じて駆動機構１４から取り外せるようになっていて、注射器２６，２８の一方または両方に液体を充填して、注射器２６，２８の一方または両方を駆動機構１４に戻すことができるようにされている。注射器２６，２８は、各々、バレル３０，３２と、バレル３０，３２内に摺動可能に配置されたプランジャ３４，３６とを有する。プランジャ３４，３６の各々の近位の端部３８，４０は、駆動機構３１に嵌め合わされ、バレル３０，３２の少なくとも一方の遠位の端部４２，４４はコンテナ１２に結合された少なくともひとつの導管４９に嵌め合わされている。使用時には、駆動機構３１は、プランジャ３４，３６の各々が実質的にバレル３０，３２内に配置された第１の位置と、プランジャ３４，３６の各々が実質的にバレル３０，３２から引き出された第２の位置との間を移動する。
【００２８】
　垂直の向きに配置された駆動機構が例示されているが、駆動機構はさまざまな構成を有してよいことが当業者には適切に理解される。非限定的な例として、駆動機構は、装置（駆動機構）を容易に使用できるようにするために角度をなしてまたは水平に配置されてよい。駆動機構は、必要に応じて、システムに液体を流すために機械的な駆動体を動かすための機械的なおよび／または電気的な駆動機構をさらに含んでいてもよい。非限定的な例として、駆動機構は、プランジャを動かすためのラチェット形のハンドルまたは類似の機構に嵌め合わされていてよい。他の適切な駆動機構として、定力ばねを巻くように適合されたラチェット、および、プランジャに結合されかつプランジャを駆動するためのノブを含むウォームギヤーまたは簡単なねじがある。実質的に任意の駆動機構が本発明に基づくシステムに用いることができることが当業者には適切に理解される。システムは、必要に応じて手動で駆動されてもよい。
【００２９】
　図３は機械的な駆動体３０６に結合された２つの注射器３１６，３１８を備えた駆動機構３００の例示的な実施の形態を示している図である。駆動機構３００は、基部３１０、第１の注射器保持区画３０８、および第２の注射器保持区画３１２を備えた支持ハウジング３１４を含む。機械的な駆動体３０６は、基部３１０および第１の注射器保持区画３０８および第２の注射器保持区画３１２に移動可能に結合されていて、かつ、各注射器のプランジャ３０２，３０４に嵌め合わせるための取り付け部材（図示せず）を含む。使用時には、機械的な駆動体３０６は、図示されているようにプランジャ３０２，３０４が各注射器３１６，３１８のバレル内に実質的に配置された第１の位置と、プランジャ３０２，３０４が各注射器３１６，３１８のバレルから引き出されたまたは取り除かれた第２の位置（図示せず）との間を移動することができる。駆動機構３００は、基部３１０および機械的な駆動体３０６の間に延在する少なくともひとつの定力ばね（図示せず）をさらに含む。さまざまな定力ばねを用いることができるが、ある例示的な定力ばねはストック・ドライブ・プロダクツ／ステアリング・インスツルメンツ（Stock Drive Products/Sterling Instrument）によって製造されたネゲイター（Neg’ator（登録商標））スプリングがある。定力ばねは、好ましくは、システム１０を通る液体が実質的に一定の流量で流れるようにシステム１０に実質的に一定の力を加えるように動作する。ある例示的な実施の形態では、各注射器のプランジャ３０２，３０４は、第１の位置および第２の位置のいずれか一方に付勢されていて、好ましくは、プランジャ３０２，３０４が各注射器３１６，３１８のバレルから実質的に引き出されている第２の位置に付勢されている。使用時には、駆動機構３００は、システム１０内に一定の圧力差を形成してシステムを通して液体を移送するように動作する。ある好ましい実施の形態では、負の圧力差がコンテナ１２を通して液体を流し、正の圧力差がリサイクル導管４８を通して液体を流してコンテナ１２内のリザーバに液体を戻す。
【００３０】
　図１を再び参照すると、駆動機構１４はひとつまたは複数の導管を介してコンテナ１２と結合されていてよい。図示されているように、コンテナ１２は、コンテナ１２の出口２０からコネクタ５０まで延在する第１の部分４６と、コネクタ５０からコンテナ１２の入口２２まで延在する第２の部分４８とを備えたリサイクル導管を含む。回収導管４９が注射器２６のバレル３０の遠位の端部４２からコネクタ５０まで延在していて、リサイクル導管の第１の部分４６および第２の部分４８と結合されている。
【００３１】
　回収導管４９は、必要に応じて、システム１０を通って循環される液体の量に応じて、さらに注射器２８の遠位の端部４４まで延在して遠位の端部４４と結合されていてよい。注射器２６および注射器２８の一方または両方を用いることで、体積Ｖの液体に対して２つの異なる流量を設定できるようになる。ある例示的な実施の形態では、共通のストップコックマニホルド５６が導管４９内の第１の注射器２６および第２の注射器２８の間に配置されている。ストップコック５６が閉じた位置にあるとき、第２の注射器２８は外部の空気と通気され、したがって、体積Ｖの液体の半分がシステムを通って吸い込まれることになる。ストップコック５６が開いた位置にあるとき、注射器２６，２８の両方がシステムを通して液体を吸い込むのに用いられ、したがって体積Ｖの全体がシステムを通して吸い込まれることになる。注射器２６，２８の構成は変更でき、システム１０がひとつまたは複数の注射器またはシステム１０を通して液体を吸い込むための拡張可能なベローなどの類似の装置を含んでよいことが当業者には適切に理解される。
【００３２】
　システム１０は必要に応じて液体の流れる向きを制御するためのひとつまたは複数の機構をも有していてよい。非限定的な例として、ひとつまたは複数の逆止弁またはデュアルチェック弁が液体の流れる向きを制御するために設けられていてよい。好ましくは、コネクタ５０は逆止弁からなり、その逆止弁は導管４６内へ液体が流れ込むのを防止し、導管４６からの液体または注射器２６，２８からの液体をリサイクル導管部分４８を介してコンテナ１２の入口２２に向けて流す。他の逆止弁５２，５４が必要に応じて導管４６および各注射器２６，２８の遠位の端部４２，４４の間に配置されてよい。
【００３３】
　図４Ａから図５Ｂは、全てのコンポーネントがハウジング内に配置されて一体的なユニットを形成している骨移植片などの移植可能なサブストレートを調製するためのシステム１００の他の実施の形態を示している。図４Ｄに分解されたシステムとして示されているように、システム１００は、前方部分１１６、後方部分１４６、およびオプションスタンド１４８を備えたハウジングと、ハウジングの前方部分１１６および後方部分１４６の間に配置された駆動機構１１４と、駆動機構１１４に結合されかつハウジングの前方部分１１６の一部内に配置されたコンテナ１１２とを含む。
【００３４】
　ハウジングはさまざまな構成を有してよく、実質的に任意の形状および寸法を有してよい。図４Ａ、図４Ｂ、および図４Ｄはハウジングのあるひとつの実施の形態のみを例示していることが当業者には適切に理解される。図４Ｂに示されているように、ハウジングの前方部分１１６は基部１１８および直立部１２０を含む。ハウジング１１６の形状は変更可能であるが、図示されたハウジング１１６は直立部１２０が基部１１８に対して直角に延在する長靴に類似した形状を有する。ハウジング１１６の直立部１２０は、駆動機構１１４を受容するための開いた背面部１２２を含み、後方部分１４６と嵌め合わされたときに駆動機構の区画１２４を画定する実質的に円筒形の中空の形状を有する。直立部１２０には、注射器が駆動機構１１４に嵌め合わされたかを目視するための少なくともひとつの窓１２６が形成されている。窓１２６は、ハウジング１１６の切り欠き部から形成されてよく、必要に応じて切り欠き部を覆う透明な材料を含んでよい。
【００３５】
　ハウジング１１６の基部１１８は、直立部１２０に対して直角に延在し、直立部１２０および駆動機構１１４のための支持部として働き、コンテナ１１２を配置するための凹部１３６を備えたボウル形部材１２８を含む。ボウル形部材１２８の凹部１３６は、コンテナ１１２の周縁部に沿ってぴったりと合うのに十分な外側部分（またはリム）１３８を有し、コンテナ１１２から流れる液体を受容するための十分な深さＤを有しなければならない。ボウル形部材１２８の外側部分１３８は、コンテナ１１２（図５Ａおよび図５Ｂ）の外側に形成された対応するねじ山１４４と嵌め合わされるためのねじ山１４２のような嵌め合い要素を含んでいてよい。ボウル形部材１２８は任意の形状および寸法を有してよいが、凹部１３６は好ましくはファンネル形の形状を有し、ひとつまたは複数の体積減少用のリブ（または溝）１４０を含む。リブ（または溝）１４０は任意の形状および寸法を有してよいが、好ましくはシステム１００を通って流れる液体を妨げないように低い高さである。リブ（または溝）１４０はボウル形部材１２８によって受容される液体の体積を減少するように働く。このことは、小さい体積のボウル形部材１２８が駆動機構１１４による駆動力によらずにコンテナ１１２を通して流すことができる液体の量がごくわずかであるという点でとりわけ有益である。ボウル形部材１２８の底部１３０は、好ましくはボウル形部材１２８から液体を吸い出すためのポート１３２を有し、リサイクル導管（図示せず）は好ましくはそのポート１３２からコンテナ１１２の入口まで延在している。
【００３６】
　ハウジングの後方部分１４６は前方部分１１６の直立部１２０と同じ形状を有し、前方部分と嵌め合わされたときにハウジング内に駆動機構を包囲するように働く。前方部分１１６および後方部分１４６の少なくとも一方は好ましくは長手方向の移動止め１５０を含み、その移動止め１５０は駆動機構１１４を駆動させるように動作するトリガ機構１５２を摺動可能に受容するためのハウジング内の長手方向のスロット１３４を形成する。
【００３７】
　ハウジングは、必要に応じて、前方部分１１６および後方部分１４６を配置しかつシステム１００を包囲するためのトレー（オプションスタンド）１４８をさらに含んでよい。トレー１４８は、好ましくは、トレー１４８がハウジングの前方部分１１６および後方部分１４６の各々の底部の周囲にまたは底部内に適合するように前方部分１１６および後方部分１４６の両方の輪郭形状に一致する中実の実質的に平坦な部材からなる。
【００３８】
　ハウジング内に配置された駆動機構１１４は、図３に示された駆動機構３００と同様であり、機械的な駆動体１８６に嵌め合わされたひとつまたは複数の注射器１８２，１８４を含む。図４Ｄに示されているように、各注射器１８２，１８４は、バレル１８３，１８５と、バレル１８３，１８５内に摺動可能に配置されたシステム１００内の液体に力を加えるためのプランジャ１８７，１８９とを有する。各プランジャ１８７，１８９の一部は、好ましくは機械的な駆動体１８６の近位の端部に形成されたクロスバー１９０を介して、機械的な駆動体１８６に取り外し可能に嵌め合わされる。プランジャ１８７，１８９をクロスバー１９０に結合するために、スナップ嵌め、ねじによる係合、および他の類似の機械的な係合を含むさまざまな嵌め合い技術が用いられてよい。各注射器１８３，１８５の遠位の端部１９１，１９３は、ハウジング１１６のボウル形部材１２８内のポート１３２と連通した導管（図示せず）と嵌め合わされている。使用時には、図４Ａに示された最も近位の位置から、プランジャ１８７，１８９が実質的にバレル１８３，１８５内に配置された最も遠位の位置へ動くことによって、システム１００内に吸引力が形成されて、液体がコンテナ１１２を通って流れる。
【００３９】
　機械的な駆動体１１４は、機械的な技術および電気的な技術の両方を含むさまざまな技術を用いて駆動されてよい。図４Ｄに示されているように、機械的な駆動体１８６は、駆動体１８６に実質的に一定の力を加えてシステムを通る液体の流れを制御するように動作する２つの定力ばね１５３ａ，１５３ｂに嵌め合わされている。駆動機構１８６を動かすために、定力ばね以外の適切な装置を用いることができることが当業者には適切に理解される。非限定的な例として、図４Ａは駆動体１８６に嵌め合わされた定力ばね１５１を例示している。図４Ｄを再び参照すると、駆動体１８６は好ましくは近位の位置に付勢されている。この位置（近位の位置）では、図示されているように、定力ばね１５３ａ，１５３ｂは十分に収縮されている。駆動体１８６を遠位の向きに移動させて、定力ばね１５３ａ，１５３ｂを伸張させて、プランジャ１８７，１８９が実質的にバレル１８３，１８５内に配置されるようにプランジャ１８７，１８９を配置することによって、駆動体１８６を駆動できる。閉じた位置に付勢された定力ばね１５３ａ，１５３ｂは、駆動体１８６に力を加え、駆動体１８６を近位の向きに移動させて、注射器のプランジャ１８７，１８９を移動させる。駆動体１８６は、駆動体１８６を伸張した位置と収縮した位置との間で移動させるためのひとつまたは複数のトリガ機構１５２ａ，１５２ｂを含んでよい。トリガ機構１５２ａ，１５２ｂは、好ましくは、前方部分１１６および後方部分１４６内の移動止め１５０によって形成されたスロット１３４を通って外向きに延出している。
【００４０】
　図４Ａを再び参照すると、システム１００はハウジング１１６のボウル形部材１２８内に配置されたコンテナ１１２をさらに含む。ハウジング１１６のボウル形部材１２８内に配置されたある例示的なコンテナ１１２の実施の形態が図５Ａおよび図５Ｂにより詳細に示されている。コンテナ１１２はある程度コンテナ２００に類似していて、液体保持部材１５４、液体保持部材１５４内に配置された第１の蓋１５６、および、液体保持部材１５４の一端に取り外し可能に配置された第２の蓋（またはカバー：図４Ａ）１５８を含む。液体保持部材１５４は、正方形、円筒形、などの実質的に任意の形状を有してよく、かつ、任意の寸法を有してよい。図示されているように、液体保持部材１５４はファンネル形の近位の部分１６０と、実質的に円筒形の遠位の部分１６２とを有し、近位の部分１６０および遠位の部分１６２の各々はその部分を貫通する実質的に中空の内部１６２’を画定している。遠位の部分１６２は、ハウジング１１６内のボウル形部材１２８にコンテナ１１２を嵌め合わせるために遠位の部分１６２の外側面に形成されたねじ山１４４のような嵌め合い要素を含んでいてよい。中空の内部１６２’は好ましくは移植可能なサブストレートたまは移植可能なサブストレートを保持する構造を受容するように適合された寸法および形状を有する。好ましくは、スクリーンまたはネットなどの第１の多孔性部材１６４が遠位の部分１６２を覆って延在してコンテナ１１２の基部を形成している。仕切片１７０’が第１の蓋１５６を第１の多孔性部材１６４から間隔を置いて配置するために設けられていてよい。代わりに、またはさらに、遠位の部分１６２は第１の蓋１５６を第１の多孔性部材１６４から間隔を置いて配置するように適合された形状を有していてもよい。
【００４１】
　第１の蓋１５６もさまざまな構成を有してよいが、第１の多孔性部材１６４および第１の蓋１５６の間に移植可能なサブストレートを保持しかつ移植可能なサブストレートを通して液体を流すように適合されていなければならない。図５Ａに示されているように、第１の蓋１５６は液体保持部材１５４の中空の内部１６２’内に適合する寸法の形状を有する。第２の多孔性部材１６８は、第１の多孔性部材１６４および第２の多孔性部材１６８の間に収容された移植可能なサブストレートが通過するのを防止しながら液体が第１の蓋１５６を通って流れるようにするために第１の蓋１５６の少なくとも一部を覆って延在している。
【００４２】
　第１の多孔性部材１６４および第２の多孔性部材１６８は、例えばメッシュ生地、織布スクリーン、ネット、および、レーザーエッチング、打ち抜き、または射出成形によって取り外し可能なインサートに形成された孔を含むさまざまな材料から形成されてよいことが当業者には適切に理解される。代わりに、多孔性部材１６４，１６８は、第１の蓋１５６および液体保持部材１５４と一体形成されていてもよい。各多孔性部材に形成された孔または開口は好ましくは実質的に１７５μｍから実質的に６００μｍまでの範囲内の寸法を有する。
【００４３】
　第１の蓋１５６は、第１の蓋１５６を液体保持部材１５４に嵌め合わせるためのひとつまたは複数の嵌め合い要素をさらに含んでよい。ある非限定的な例として、図５Ａは第１の蓋１５６の両側に配置された第１の突出部材１７０および第２の突出部材１７２を示している。第１の突出部材１７０および第２の突出部材１７２は、液体保持部材１５４に形成された対応する移動止め１７４（図５Ａにはひとつの移動止めのみが示されている）にスナップ嵌めさせるように設計されている。第１の蓋１５６を液体保持部材１５４に嵌め合わせるために、例えば、スナップ嵌め、磁力による係合、しまり嵌め、およびねじによる係合を含むさまざまな方法を用いることができることが当業者に適切に理解される。第１の蓋１５６は、第１の蓋１５６を液体保持部材１５４内に配置するのを容易にするために、第１の蓋１５６に嵌め合わされた把持部材（またはハンドル）１７６を必要に応じてさらに有してよい。ハンドル１７６は任意の形状および寸法を有してよいが、第１の蓋１５６を通る液体の流れを妨げないように低い高さを有しなければならない。
【００４４】
　コンテナ１１２は、図４Ａに示されているように第２の蓋１５８をさらに含み、第２の蓋１５８は液体保持部材１５４の近位の部分１６０と一体形成されているか近位の部分１６０に取り外し可能に嵌め合わされる。第２の蓋１５８は任意の形状および寸法を有してよいが、液体保持部材１１２の中空の内部１６２’を密閉するような寸法を有しなければならない。第２の蓋１５８は、好ましくは、実質的に円筒形の形状を有し、第２の蓋１５８の把持を容易にするためのハンドル１７８を含む。好ましくは、入口ポートが駆動機構１１４からコンテナ１１２へ液体を流すために第２の蓋１５８に形成されている。第２の蓋１５８は液体保持部材１５４の近位の部分１６０に形成されたリム１８０に嵌め合わされるか、または代わりに、第２の蓋１５８は液体保持部材１５４の近位の部分１６０の周囲に延在する。第２の蓋１５８を液体保持部材１５４に嵌め合わせるために、例えば、スナップ嵌め、磁力による係合、しまり嵌め、およびねじによる係合を含むさまざまな方法を用いることができる。ある例示的な実施の形態では、第２の蓋１５８はハウジング１１６に蝶番式に取り付けられていてコンテナ１１２にスナップ嵌めされる。
【００４５】
　ヒンジ１１１５のある例示的な実施の形態が図４Ｅに示されていて、図４Ｅはハウジング１１６のボウル形部材１２８およびボウル形部材１２８に嵌め合わされる第２の蓋１５８の一部切り欠き斜視図を示している。ヒンジ１１５は、ボウル形部材１２８（図４Ｂ）の出口１３２から第２の蓋１５８の入口ポートを通ってコンテナ１１２内に延在する液体リサイクル導管１１９の一部を受容するためのヒンジ１１５を貫通する内腔１１７を含む。使用時には、第２の蓋１５８（図４Ａ）は、閉じた位置と、ヒンジ１１５がヒンジ１１５を通って延在する液体リサイクル導管１１９を挟んで導管１１９を通して液体がコンテナ１１２内に流れ込むのを防止するように動作する開いた位置との間を移動できる。例示された実施の形態では、第２の蓋１５８はコンテナ１１２およびハウジング１１６に対して側方に旋回する。
【００４６】
　図６は、図４Ａに示されたシステム１００を通る液体の流れのある例示的な実施の形態を表した模式図である。図示されているように、最初に液体は、蓋１５８を開いてまたは取り外してコンテナ１１２を露出させ、コンテナ１１２の入口ポートを通して液体を注入することによって、コンテナ１１２内に配置される。好ましいものではないが、液体は駆動機構の注射器のひとつの中に配置されてよい。第１の蓋１５６および液体保持部材１５４の多孔性部材１６４，１６８の多孔性の性質によって、液体の一部は重力の影響下でハウジング１１６のボウル形部材１２８内に自動的に流れ込む。したがって、上述したように、駆動機構１１４を駆動する前に移植可能なサブストレートを通って有意な量の液体が流れることを妨げるための小さい体積のボウル形部材１２８を用いることが望ましい。液体がコンテナ内に配置されると、蓋が閉じられる。次に、駆動機構１１４がプランジャ１８３，１８５に下向の力を加えることによって駆動される。これによって、システム内の任意の空気が注射器のバレル１８３，１８５の外に出されて、コンテナ１１２の入口に結合されたリサイクル導管１９４内に移動される。次に、ばね１５３ａ，１５３ｂが駆動機構１８６に力を加えて、プランジャ１８７，１８９を注射器のバレル１８３，１８５に対して近位の向きに引く。これによって、ボウル形部材１２８の出口１３２から注射器のバレル１８３の遠位の端部１９１に延在する導管１９６を介して液体がボウル形部材１２８を通って注射器のバレル１８３内に流れる。次に、駆動機構１１４が、トリガ１５２ａ，１５２ｂに下向きの力を加えることによって再び駆動されて、プランジャ１８７，１８９がバレル１８３，１８５内に下向に移動される。これによって、液体が各注射器１８２，１８４の外に出され、カートリッジ（コンテナ）１１２の入口内に戻される。次に、駆動体が再び駆動されて、液体がコンテナ１１２の入口からコンテナ１１２およびコンテナ１１２内に配置された移植可能なサブストレートを通って流れるように吸引される。液体が出口１３２内に流れ込むのを防ぐために、注射器のバレル１８３，１８５およびボウル形部材１２８の出口１３２の間に延在する導管１９６に少なくともひとつの逆止弁１９８が配置されている。したがって、逆止弁１９８は液体を注射器のバレル１８３，１８５からリサイクル導管１９４を介してコンテナ１１２内に、そして、コンテナ１１２の出口から注射器のバレル１８３，１８５に流し、同時に液体が注射器のバレル１８３，１８５からコンテナ１１２の出口に流れるのを防止する。コンテナ１１２を通して液体を流すプロセスは、所望に応じて、数回繰り返される。
【００４７】
　本発明は、システムを通る液体の流量を制御するための方法をも提供する。非限定的な例として、システムは液体の流量を制御するためのマイクロボアチューブ（micro-bore tubing）から形成された導管を含んでいてよい。ある例示的な実施の形態では、第２の注射器２８の遠位の端部４４から延在する導管が、外部の空気の供給源に対して開いていて、バレル３２内でのプランジャ３６の移動速度を制御するために非常に小さい直径を有する。第２のプランジャ３６は機械的な駆動体３１を介して第１のプランジャ３４と嵌め合わされているので、第２のプランジャ３６の制御された動きが、第１のプランジャ３４の移動速度を制御し、したがって、システムを通る液体の流れを制御する。代わりに、または、さらに、注射器自体が液体の流量を制御するように適合されていてもよい。例えば、注射器のバレル３０，３２の一方または両方の近位の部分が逆止弁を含んでいてよく、その逆止弁はプランジャ３４，３６が圧縮される間はバレル３０，３２内に空気が流れ込むのを許容し、プランジャ３４，３６がバレル３０，３２から引き抜かれるときはバレル３０，３２から空気が外に流れ出すことを制限または妨げる。この実施の形態では、各バレル３０，３２の近位の端部は、例えばＯリングを用いて密閉されていなければならない。他の実施の形態では、コンテナがシステムを通る液体の流量を制御するように変形されていてよい。非限定的な例として、密閉されたチャンバを形成するコンテナが、空気の流れを調節するためのひとつまたは複数の吹出し弁を含んでいてよい。その吹出し弁は好ましくは、コンテナの蓋に形成された逆止弁で、コンテナ内のチャンバの外に空気が押し出されるのを許容し、コンテナ内のチャンバに向けて空気が吸い込まれるのを防止する。コンテナの蓋もチャンバ内に向けて空気を流すためのひとつまたは複数の孔を含んでいてもよい。空気出口用の弁および空気入口用の孔を組み合わせることによって、システムを通る液体の流れが効果的に調節される。
【００４８】
　図７Ａから図７Ｃは、本発明のさらに別の実施の形態を示している図である。図示されているように、システム５００は、システムを通して液体を流すために注射器を用いる代わりに拡張可能なベロー５０２を用いること以外は、図１および図４Ａに示されたシステム１０，１００と同様である。図７Ａに示されているように、ベロー５０２はハウジング５０４内に配置されて、かつ、ばね５０６に嵌め合わされている。ハンドル（またはプランジャ）５０８がベロー５０２を駆動するために設けられている。ベロー５０２およびプランジャ５０８がシステム５００の駆動機構を形成している。使用時には、ハンドル５０８に加えられた下向の力が、図７Ａに示された収縮した位置にベロー５０２を移動させ、ハンドル５０８に加えられた上向きの力が図７Ｂに示された完全に拡張した位置にベロー５０２を移動させる。
【００４９】
　ベローを保持するハウジング５０４は、液体保持部材５１０に嵌め合わされていて、液体保持部材５１０は好ましくはハウジング５０４の遠位の側に配置されている。液体保持部材５１０は、任意の形状および寸法を有してよく、好ましくは、第１の区画５１２および第２の区画５１４を含む。第１の区画５１２は、例えばコンテナであり、骨移植片などの移植可能なサブストレートを保持するように適合されている。移植可能なサブストレートは、第１の区画５１２内に直接配置されてよく、または、移植可能なサブストレートを保持するために別個のコンテナ５１６（図８Ａおよび図８Ｂ）が第１の区画５１２内に取り外し可能に配置されてもよい。コンテナ５１６は図８Ａおよび図８Ｂに関してより詳細に説明される。液体保持部材５１０の第２の区画５１４はリザーバを形成し、ある体積の液体を保持するように適合されている。第１の区画５１２および第２の区画５１４は、それら２つの区画の間に延在する多孔性の実質的に平坦な表面５１８によって分割されていてよく、または代わりに、コンテナ５１６によって分割されていてもよい。
【００５０】
　使用時には、液体は図７Ａに示すように第２の区画５１４内に配置され、図７Ｂに示すようにハンドル５０８がハウジング５０４内から引き出されて第２の区画５１４からの液体をベロー５０２内に吸い込む。導管５２０が、第２の区画５１４とベロー５０２との間に延在していて、第２の区画５１４とベロー５０２との間に液体を流すようになっている。ベロー５０２が液体で満たされ、完全に拡張すると、ばね５０６がベロー５０２に力を加えて、ベロー５０２を収縮した位置に戻るように動かす。必要に応じてハンドル５０８がベロー５０２を収縮するのに用いられてよい。これによって、ベロー５０２内に配置された液体が、第１の区画５１２内に押し流されて移植片を通って流れ、したがって、液体が図７Ｃに示すように第２の区画５１４内に収集される。導管５２２がベロー５０２から第１の区画５１２まで延在していて、ベロー５０２と第１の区画５１２の間で液体が流れるようになっている。導管５２０，５２２は液体が流れる向きを制御するための逆止弁を含んでいてよい。好ましくは、導管５２２はベロー５０２から第１の区画５１２への向きのみの液体の流れを許容する弁を含み、導管５２０は第２の区画５１４からベロー５０２への向きのみの液体の流れを許容する弁を含む。流れ制御装置のある例示的な実施の形態は、図１０Ａから図１０Ｃに関して以下により詳細に説明される。
【００５１】
　システム５００に用いるためのコンテナ４００のある実施の形態が図８Ｂに示されている。コンテナ４００は、トレー部材４０２および蓋部材４０４を含む。トレー部材４０２は図８Ａに示されていて、実質的に長方形の形状を有し、その内側に中空の内部が形成されている。トレー部材４０２は好ましくは遠位の表面４０６と、開いた近位の端部４２２と、遠位の表面４０６と直角な方向に延在する４つの側壁４２０とを含む。開いた近位の端部４２２は好ましくは蓋部材４０４に形成された対応する溝４１８内に摺動して入るための側壁４２０の周囲に沿って延在するリム４１２を含む。トレー部材４０２の遠位の表面４０６は好ましくは遠位の表面４０６を通って液体が流れるように適合されている。非限定的な例として、底面（遠位の表面）４０６は底面４０６を横断するように延在するひとつまたは複数のスロット４０８を含んでいてよい。代わりに、底面４０６は透過性の材料または多孔性の材料から形成されていてよい。図８Ｂに示されている蓋部材４０４も好ましくはコンテナ４００を通って液体が流れるようにするための多孔性の表面４１４を含む。蓋部材４０４は好ましくはトレー部材４０２と嵌め合わされるために両側のエッジに沿って延在する長寸の溝４１８を備えた実質的に平坦な部材からなる。蓋部材４０４およびトレー部材４０２は必要に応じてそれら２つの部材の適正な嵌め合わせを容易にするためのタブ４１６，４１０を含んでいてよい。タブ４１６，４１０は、蓋部材４０４をトレー部材４０２に挿入したときに、互いに係合するように設計されていてよい。使用時には、コンテナ４００は移植片をトレー部材４０２の中空の内部に保持するように設計されていて、かつ、移植片を通って液体が流れるように動作する。
【００５２】
　図９は、システムが２つの向きで移植可能なサブストレートを通して液体を流すように反転可能である本発明のさらに別の実施の形態を例示している。図示されているように、システム６００は両側の第１のハウジング６０２および第２のハウジング６０４を含む。コンテナ６０６が第１のハウジング６０２および第２のハウジング６０４の間に配置されて第１のハウジング６０２および第２のハウジング６０４に結合されている。コンテナ６０６は骨移植片６０８などの移植可能なサブストレートを保持するように適合されていて、第１のハウジング６０２および第２のハウジング６０４と嵌め合わされた別のハウジング６１０内に取り外し可能に配置される。第１のハウジング６０２および第２のハウジング６０４の各々は、拡張可能なベロー６１２，６１４と、ベロー６１２，６１４に力を加えてベロー６１２，６１４を拡張した状態および収縮した状態の間で動かすための質量６１６，６１８のような駆動機構とを含む。
【００５３】
　使用時には、システム６００が図示されているように第１の向きに配置され、この第１の向きでは、ベロー６１２は十分に拡張した位置にあってベロー６１２内に液体が充填されていて、反対側のベロー６１４は拡張していない位置にある。質量６１６はベロー６１２に力を加えてベロー６１２を拡張した状態から拡張していない状態へ移動させ、したがって、液体を、好ましくは制御された流量で、ベロー６１２の外に押し出して移植片６０８を通して流す。ベロー６１２が拡張していない状態に移動し、液体が移植片６０８を通って流れると、ベロー６１４は拡張した状態に移動し移植片６０８を通って押し流された液体を収集する。こうして、システム６００は反転して、質量６１８がベロー６１４に力を加えて移植片を通して再び液体を流せるようになる。システムは必要に応じて流れる液体の流量を制御するための流量調整装置を含んでよい。
【００５４】
　図１０Ａから図１０Ｃは、本発明のシステムと共に用いるための流量調整装置７００の例示的な実施の形態を示している図である。流量調整装置７００は、貫通する開口７０４を備えた実質的に長寸の円筒形のボール弁座７０２の形態である。開口７０４は実質的に円形で、開口７０４の両側に配置された２つのノッチ部７０６，７０８を含んでいる。ケージ７１０が円筒形のボール弁座７０２の一方の端部を取り囲んでいて、ケージ７１０内にボール７１２を保持するように働く。使用時には、図１０Ｂに示されているように、ボール７１２は開口７０４内に位置している。図示された向きに流れる液体がボール７１２によって開口７０４を通って流れるのを妨げられ、しかし、ノッチ部７０６，７０８を通って流れることを許容される。その結果、流量調整装置７００を通って流れる液体の流量が制御される。図１０Ｃは逆向きに流れる液体の効果を例示している。この位置では、液体がボール７１２を押して開口７０４から遠ざけ、それによって弁座７０２を通る流れに対する抵抗が減少する。これによって実質的に自由に液体が弁座７０２を通過するようになる。
【００５５】
　本発明に基づくシステムは、凝固溶液などの第２の液体を例えば骨髄などの第１の液体と共に同時に移植可能なサブストレートを通して流すように変更されてもよい。例えば、図６は、第２の液体をシステムに注入するために導管１９６に結合された弁１９７を示している。弁１９７は、任意の構成を有してよいが、好ましくはニードルレス弁（needleless valve）からなる。弁１９７を配置することによって、第２の液体がシステム内に注入されてコンテナ１１２を通って流される前に注射器１１４内で第２の液体が第１の液体と混合されるようになる。他の実施の形態（図示せず）では、図１および図４Ａのシステム１０およびシステム１００の２つの注射器のうちのひとつに第２の液体が充填されて、システム内に配置された第１の液体と選択的に混合される。第２の液体を収容した注射器の遠位の部分に配置されたストップコックを用いてシステム内に注入される液体の量を制御することができる。
【００５６】
　ある例示的な実施の形態では、弁１９７はルアー駆動された逆止弁（luer-activated check valve）またはニードルレス弁からなる。トロンビンおよびカルシウムなどの凝固誘導混合物を収容した注射器が装置の使用時の最後のステップで弁１９７に結合される。その混合物は好ましくは逆向きにシステムを通して流されて、混合物がボウル形部材１３２から移植可能なサブストレートを通って流れるようにされる。ある例示的な実施の形態では、弁１９７は図４Ａに示されたシステムで用いられる。凝固混合物は好ましくは蓋１５８が開いた位置に配置されていてヒンジ１１５（図４Ｅ）がヒンジ１１５を通って延在する液体リサイクル導管１１９を挟んで液体が入口からコンテナ１１２内に入るのを妨げているときにシステム１００内に注入される。リサイクル導管１１９が閉じられている結果として、混合物はボウル形部材１３２内に流れ込みコンテナ１１２内に配置された移植可能なサブストレートを通って流れる。
【００５７】
　上記の記載は本発明の原理を例示したもので、本発明の範囲および真髄を逸脱せずにさまざまな変更が当業者によって行なえることが理解される。本明細書で引用された全ての参照文献は引用されたことによってその全体が本明細書に特に組込まれる。
【００５８】
　この発明の具体的な実施態様は以下の通りである。
　（１）リザーバの出口がコンテナの入口に結合されて上記コンテナが上記リザーバの下流側に配置されている、請求項１記載のシステム。
　（２）コンテナの出口およびリザーバの入口の間に延在して液体を上記リザーバに再循環する液体リサイクル導管をさらに有する、実施態様（１）記載のシステム。
　（３）液体リサイクル導管が、コンテナの出口から上記コンテナ内に任意の液体が流入するのを防止するための逆止弁を含む、実施態様（２）記載のシステム。
　（４）駆動機構が、コンテナを通して液体を流すための一定の吸引力を生み出すように動作する注射器を有する、請求項１記載のシステム。
　（５）注射器がコンテナの出口およびリザーバの入口に結合されている、実施態様（４）記載のシステム。
【００５９】
　（６）注射器がコンテナの入口およびリザーバの出口に結合されている、実施態様（４）記載のシステム。
　（７）注射器が、バレル、および上記バレル内に配置されたプランジャを有し、上記プランジャが、上記プランジャが上記バレル内に実質的に配置されている初期位置から、上記プランジャが上記バレルから実質的に引き出されている最終位置へ、上記プランジャを後退させるように動作する定力ばねに結合されている、実施態様（４）記載のシステム。
　（８）プランジャがバレル内のチャンバ内で密閉されていて、上記バレルが、上記チャンバ内に延在して上記チャンバ内での上記プランジャの移動速度を制御することによってシステムを通る液体の流量を制御するための少なくともひとつの空気フロー弁を含む、実施態様（７）記載のシステム。
　（９）プランジャが、上記プランジャがバレルから実質的に引き出された位置に付勢されている、実施態様（７）記載のシステム。
　（１０）駆動機構が、コンテナを通して液体を流すための一定の力を生み出すように動作する複数の注射器を有する、請求項１記載のシステム。
【００６０】
　（１１）注射器の各々がバレル内に配置されたプランジャを含み、上記注射器の各々の上記プランジャが、実質的に同時に動くように互いに機械的に結合されている、実施態様（１０）記載のシステム。
　（１２）駆動機構が、バレル内に配置されたプランジャを備えた第１の注射器を有し、上記第１の注射器はコンテナを通して液体を流すための一定の吸引力を生み出すように動作し、バレル内に配置されたプランジャを備えた第２の注射器をさらに有し、上記第２の注射器の上記プランジャが上記第１の注射器の上記プランジャに機械的に結合されて上記２つのプランジャが上記バレル内で実質的に同時に動く、請求項１記載のシステム。
　（１３）第２の注射器が、バレル内でのプランジャの動きを制限することによってシステム内の液体の流量を制御するように動作する空気フロー導管に結合されている、実施態様（１２）記載のシステム。
　（１４）コンテナの出口からの液体を収集するように動作する収集タンクと、上記収集タンクおよびリザーバの入口の間に延在する液体リサイクル導管とをさらに有する、請求項１記載のシステム。
　（１５）液体リサイクル導管および駆動機構の間に延在する回収導管をさらに有する、実施態様（１４）記載のシステム。
【００６１】
　（１６）コンテナが密閉可能であり、上記コンテナに形成されたひとつまたは複数の空気フロー弁を含み、上記コンテナを通る液体の流量を制御するように動作する、請求項１記載のシステム。
　（１７）リザーバ、コンテナ、および駆動機構のうちの少なくともひとつを包囲するハウジングをさらに有する、請求項１記載のシステム。
　（１８）駆動機構が拡張した位置および収縮した位置の間を移動可能なベローを含む、請求項１記載のシステム。
　（１９）リザーバがコンテナの下流側に配置されて液体が上記コンテナの出口から上記リザーバの入口へ流れ、ベローが上記リザーバの出口からの液体を収集し上記コンテナの入口に上記液体を運ぶように動作する、実施態様（１８）記載のシステム。
　（２０）コンテナの入口およびベローの間に延在する第１の導管と、リザーバの出口および上記ベローの間に延在する第２の導管とをさらに有する、実施態様（１９）記載のシステム。
【００６２】
　（２１）第１の導管が、ベローからコンテナへの向きにのみ液体を流すように動作する逆止弁を含む、実施態様（２０）記載のシステム。
　（２２）第２の導管が、リザーバからベローへの向きにのみ液体を流すように動作する逆止弁を含む、実施態様（２０）記載のシステム。
　（２３）駆動機構が、ベローの拡張および収縮の結果としてリザーバから上記ベローへ液体を流し次に上記ベローからコンテナに液体を流すための力を上記ベローに加えるように適合されたプランジャを有する、実施態様（１８）記載のシステム。
　（２４）プランジャが、ベローが拡張された第１の位置と上記ベローが収縮された第２の位置とのいずれかに上記プランジャを付勢するように動作する定力ばねに結合されている、実施態様（２３）記載のシステム。
　（２５）プランジャが第２の位置に付勢されていて、上記プランジャが付勢力に対抗して動くことによってリザーバからベローへ液体を吸引するための一定の吸引力が生み出され、上記付勢力がその後上記ベローを上記第２の位置に戻してコンテナを通して上記液体を押し流す、実施態様（２４）記載のシステム。
【００６３】
　（２６）プランジャが第１の位置に付勢されていて、上記プランジャが付勢力に対抗して動くことによってリザーバを通して液体を押し流すための正の圧力が生み出され、上記付勢力がその後上記ベローを上記第１の位置に戻してコンテナから上記ベローへ上記液体が吸引される、実施態様（２４）記載のシステム。
　（２７）プランジャが定力ばねの付勢力に対抗して動くことによってリザーバからベローへ液体を吸引するための吸引力が生み出され、上記付勢力がその後上記ベローを収縮させて上記液体をコンテナを通して押し流す、実施態様（２４）記載のシステム。
　（２８）コンテナが、多孔性の底面、多孔性の上面、および少なくともひとつの無孔性の側壁を備えたトレーに類似した装置からなる、請求項１記載のシステム。
　（２９）多孔性の底面および多孔性の上面がコンテナ内に取り外し可能に配置される、実施態様（２８）記載のシステム。
　（３０）多孔性の底面および多孔性の上面の各々が移植可能な生体適合性を有する材料から形成されている、実施態様（２９）記載のシステム。
【００６４】
　（３１）システム内に配置された液体をさらに有し、上記液体が、骨髄、血液、血小板多血漿、胎盤、関節液、羊水、幹細胞を含んだ懸濁液、成長因子を含んだ懸濁液、たんぱく質を含んだ懸濁液および、それらの組み合わせからなる集合から選択された、請求項１記載のシステム。
　（３２）リザーバを密閉するように適合された蓋部材をさらに有する、実施態様（２）記載のシステム。
　（３３）蓋部材をリザーバに結合すると共に液体リサイクル導管の一部を受容するための貫通した内腔を含むヒンジをさらに有し、上記蓋部材が、液体が上記液体リサイクル導管を通って流れることができる閉じた位置と、上記ヒンジが上記液体リサイクル導管を挟んで上記液体リサイクル導管を通って液体が流れるのを妨げる開いた位置との間を移動可能である、実施態様（３２）記載のシステム。
　（３４）第１のベローおよび第２のベローが各々、拡張した位置および収縮した位置の間を移動可能である、請求項２記載のシステム。
　（３５）駆動機構が質量を有する、実施態様（３４）記載のシステム。
【００６５】
　（３６）流量調整装置が第１のベローおよび第２のベローの少なくとも一方とコンテナとの間に配置されていて、上記流量調整装置が上記第１のベローおよび第２のベローの少なくとも一方から上記コンテナへ流れる液体の流量を選択的に制御し、かつ、上記コンテナから上記第１のベローおよび第２のベローの少なくとも一方へ流れる液体を自由に流すように動作する、請求項２記載のシステム。
　（３７）第１のベロー、第２のベロー、コンテナ、および駆動機構を包囲するハウジングをさらに有し、上記ハウジングが実質的に中空で上記第１のベローおよび第２のベローの拡張および収縮が可能である、請求項２記載のシステム。
　（３８）バスケットが、互いに間隔を置いて配置されて互いの間に移植可能なサブストレートを保持するように動作する実質的に平坦な第１の多孔性部材および第２の多孔性部材を含む、請求項３記載のシステム。
　（３９）第１の多孔性部材および第２の多孔性部材が、バスケット内に取り外し可能に配置されている、実施態様（３８）記載のシステム。
　（４０）第１の多孔性部材および第２の多孔性部材が、移植可能な生体適合性を有する材料から形成されていて、上記第１の多孔性部材および第２の多孔性部材がバスケット内に配置された移植可能なサブストレートの一部を形成するように適合された、実施態様（３９）記載のシステム。
【００６６】
　（４１）液体の入口および液体の出口の間に延在するリサイクル導管をさらに有し、液体がチャンバを通して再循環される、請求項３記載のシステム。
　（４２）第１の蓋部材が正の機械的な係合によって液体保持部材に取り外し可能に嵌め合わされる、請求項４記載のコンテナ。
　（４３）第１の蓋部材が、液体保持部材に形成された対応する取り付け機構に選択的に嵌め合わされるための取り付け機構を含む、請求項４記載のコンテナ。
　（４４）第１の蓋部材が、液体保持部材の中空の内側部分の略中間点に配置されている、請求項４記載のコンテナ。
　（４５）液体保持部材の近位の端部および第１の蓋部材の間に延在する液体保持部材の一部が液体受容凹部を画定する、請求項４記載のコンテナ。
【００６７】
　（４６）液体保持部材を取り外し可能に受容するための凹部を備えた支持部材をさらに有する、請求項４記載のコンテナ。
　（４７）遠位の端部に隣接する液体保持部材の外壁が、支持部材の内側面に形成された少なくともひとつの対応するねじ山に嵌め合わされるために形成された少なくともひとつのねじ山を含む、実施態様（４６）記載のコンテナ。
　（４８）液体保持部材が実質的に円錐形の形状を有する、請求項４記載のコンテナ。
　（４９）液体保持部材の近位の端部が上記液体保持部材の遠位の端部の直径よりも大きい直径を有し、上記液体保持部材が近位の外向きに延出する環状リップ部を含む、実施態様（４８）記載のコンテナ。
　（５０）ベース部材および第１の蓋部材の各々の多孔性の部分が、上記ベース部材および上記第１の蓋部材の一部を覆うように配置された少なくともひとつの織布スクリーンから形成されている、請求項４記載のコンテナ。
【００６８】
　（５１）少なくともひとつの織布スクリーンが、ベース部材および第１の蓋部材の各々にインサート成形されている、実施態様（５０）記載のコンテナ。
　（５２）少なくともひとつの織布スクリーンが実質的に１７５μｍから実質的に６００μｍまでの範囲内の寸法を有する孔を含む、実施態様（５０）記載のコンテナ。
　（５３）ベース部材および第１の蓋部材の間に取り外し可能に配置された移植可能な骨移植片をさらに有する、請求項４記載のコンテナ。
　（５４）第２の蓋部材が、液体保持部材に蝶番式に取り付けられている、請求項４記載のコンテナ。
　（５５）液体保持部材が、第１の蓋部材の上流側に配置された入口と、ベース部材の下流側に配置された出口とを含み、液体リサイクル導管が上記出口から上記入口まで延在している、請求項４記載のコンテナ。
　（５６）第２の蓋部材を液体保持部材に結合すると共に液体リサイクル導管の一部を受容するための貫通して延在する内腔を含むヒンジをさらに有し、上記第２の蓋部材が、上記液体リサイクル導管を通って液体が流れる閉じた位置と、上記ヒンジが上記液体リサイクル導管を挟んで上記液体リサイクル導管を通って液体が流れるのを妨げる開いた位置との間を移動可能である、実施態様（５５）記載のコンテナ。
【図面の簡単な説明】
【００６９】
【図１】本発明のある実施の形態に基づくシステムの機能的な模式図である。
【図２Ａ】本発明に基づくシステムと共に用いるためのコンテナのある実施の形態の斜視図である。
【図２Ｂ】図２Ａのコンテナの分解斜視図である。
【図３】図１に示されたシステムを用いるための駆動機構のある実施の形態の斜視図である。
【図４Ａ】本発明に基づくシステムの他の実施の形態の斜視図である。
【図４Ｂ】図４Ａに示されたシステムのハウジングの斜視図である。
【図４Ｃ】図４Ａおよび図４Ｂに示されたハウジングのボウル形部材のある実施の形態の斜視図である。
【図４Ｄ】図４Ａに示されたシステムの分解斜視図である。
【図４Ｅ】図４Ａに示されたハウジングの蓋およびボウル形部材の一部切り欠き斜視図である。
【図５】図５Ａおよび図５Ｂは、図４Ａに示されたシステムと共に用いるためのコンテナのある実施の形態の斜視図である。
【図６】図４Ａに示されたシステムを通る液体の流れを示した模式図である。
【図７】図７Ａから図７Ｃは、本発明に基づく流量制御システムの他の実施の形態を示す図である。
【図８】図８Ａおよび図８Ｂは、図７Ａから図７Ｃに示されたシステムと共に用いるためのコンテナのある実施の形態の斜視図である。
【図９】本発明に基づくシステムの別の実施の形態の斜視図である。
【図１０Ａ】本発明に基づくシステムと共に用いるための弁のある実施の形態の斜視図である。
【図１０Ｂ】図１０Ａの弁の効果を示す機能的な模式図である。
【図１０Ｃ】図１０Ａの弁の効果を示す機能的な模式図である。
【符号の説明】
【００７０】
　１０　システム
　１２　コンテナ
　１４　駆動機構
　１６　近位の端部
　１８　遠位の端部
　２０　出口
　２２　入口
　２２’　リザーバ
　２４　バスケット
　２６，２８　注射器
　３０，３２　バレル
　３１　駆動体
　３４，３６　プランジャ
　３８，４０　近位の端部
　４２，４４　遠位の端部
　４６　第１の部分
　４８　第２の部分
　４９　導管
　５０　コネクタ
　５２，５４　逆止弁
　５６　ストップコック
　１００　システム
　１１２　コンテナ
　１１４　駆動機構
　１１５　ヒンジ
　１１６　前方部分
　１１７　内腔
　１１８　基部
　１１９　液体リサイクル導管
　１２０　直立部
　１２２　背面部
　１２４　区画
　１２６　窓
　１２８　ボウル形部材
　１３０　底部
　１３２　ポート
　１３４　スロット
　１３６　凹部
　１３８　外側部分
　１４０　リブ
　１４２　ねじ山
　１４４　ねじ山
　１４６　後方部分
　１４８　オプションスタンド
　１５０　動止め
　１５１　定力ばね
　１５２　トリガ機構
　１５２ａ，１５２ｂ　トリガ機構
　１５３ａ，１５３ｂ　定力ばね
　１５４　液体保持部材
　１５６　第１の蓋
　１５８　第２の蓋
　１６０　近位の部分
　１６２　遠位の部分
　１６２’　内部
　１６４　第１の多孔性部材
　１６８　第２の多孔性部材
　１７０　第１の突出部材
　１７０’　仕切片
　１７２　第２の突出部材
　１７４　移動止め
　１７６，１７８　ハンドル
　１８０　リム
　１８２　注射器
　１８３，１８５　バレル
　１８４　注射器
　１８６　機械的な駆動体
　１８７，１８９　プランジャ
　１９０　クロスバー
　１９１，１９３　遠位の端部
　１９４　リサイクル導管
　１９６　導管
　１９７　弁
　１９８　逆止弁
　２００　コンテナ
　２０２　液体保持部材
　２０４　第１の蓋
　２０６　第２の蓋
　２０８　側壁
　２１０　遠位の端部
　２１２　近位の端部
　２１４　中空の内部
　２１６　ベース部材
　２１８　第１のピン部材
　２２０　第２のピン部材
　２２２　第１のボア
　２２４　第２のボア
　２２６　中心開口
　２２８　近位の端部
　２３０　遠位の端部
　２３２　第１の移動止め
　２３４　第２の移動止め
　２３６　リム
　２３８　入口
　２４０　出口
　２４２　弁
　３００　駆動機構
　３０２，３０４　プランジャ
　３０６　機械的な駆動体
　３０８　第１の注射器保持区画
　３１０　基部
　３１２　第２の注射器保持区画
　３１４　支持ハウジング
　３１６，３１８　注射器
　４００　コンテナ
　４０２　トレー部材
　４０４　蓋部材
　４０６　遠位の表面
　４０８　スロットスロット
　４１０　タブ
　４１２　リム
　４１４　表面
　４１６　タブ
　４１８　溝
　４２０　側壁
　４２２　近位の端部
　５００　システム
　５０２　ベロー
　５０４　ハウジング
　５０６　ばね
　５０８　ハンドル
　５１０　液体保持部材
　５１２　第１の区画
　５１４　第２の区画
　５１６　コンテナ
　５１８　表面
　５２０，５２２　導管
　６００　システム
　６０２　第１のハウジング
　６０４　第２のハウジング
　６０６　コンテナ
　６０８　骨移植片
　６１０　ハウジング
　６１２，６１４　ベロー
　６１６，６１８　質量
　７００　流量調整装置
　７０２　ボール弁座
　７０４　開口
　７０６，７０８　ノッチ部
　７１０　ケージ
　７１２　ボール
【図１】
2004130107.tif 000003
【図２Ａ】
2004130107.tif 000004
【図２Ｂ】
2004130107.tif 000005
【図３】
2004130107.tif 000006
【図４Ａ】
2004130107.tif 000007
【図４Ｂ】
2004130107.tif 000008
【図４Ｃ】
2004130107.tif 000009
【図４Ｄ】
2004130107.tif 000010
【図４Ｅ】
2004130107.tif 000011
【図５】
2004130107.tif 000012
【図６】
2004130107.tif 000013
【図７】
2004130107.tif 000014
【図８】
2004130107.tif 000015
【図９】
2004130107.tif 000016
【図１０Ａ】
2004130107.tif 000017
【図１０Ｂ】
2004130107.tif 000018
【図１０Ｃ】
2004130107.tif 000019
【手続補正書】
【提出日】平成15年12月17日(2003.12.17)
【手続補正１】
【補正対象書類名】明細書
【補正対象項目名】００６８
【補正方法】変更
【補正の内容】
【００６８】
　（５１）少なくともひとつの織布スクリーンが、ベース部材および第１の蓋部材の各々にインサート成形されている、実施態様（５０）記載のコンテナ。
　（５２）少なくともひとつの織布スクリーンが実質的に１７５μｍから実質的に６００μｍまでの範囲内の寸法を有する孔を含む、実施態様（５０）記載のコンテナ。
　（５３）ベース部材および第１の蓋部材の間に取り外し可能に配置された移植可能な骨移植片をさらに有する、請求項４記載のコンテナ。
　（５４）第２の蓋部材が、液体保持部材に蝶番式に取り付けられている、請求項４記載のコンテナ。
　（５５）液体保持部材が、第１の蓋部材の上流側に配置された入口と、ベース部材の下流側に配置された出口とを含み、液体リサイクル導管が上記出口から上記入口まで延在している、請求項４記載のコンテナ。
　（５６）第２の蓋部材を液体保持部材に結合すると共に液体リサイクル導管の一部を受容するための貫通して延在する内腔を含むヒンジをさらに有し、上記第２の蓋部材が、上記液体リサイクル導管を通って液体が流れる閉じた位置と、上記ヒンジが上記液体リサイクル導管を挟んで上記液体リサイクル導管を通って液体が流れるのを妨げる開いた位置との間を移動可能である、実施態様（５５）記載のコンテナ。
　（５７）コンテナと流体連通していると共に液体がシステムに導入されるように動作する液体入口弁をさらに有する、請求項１記載のシステム。
　（５８）液体入口弁を通してシステムに導入された凝固溶液をさらに有する、実施態様（５７）記載のシステム。
　（５９）チャンバと流体連通していると共に液体がシステムに導入されるように動作する液体入口弁をさらに有する、請求項３記載のシステム。
　（６０）中空の内側部分と流体連通していると共に液体がシステムに導入されるように動作する、第２の蓋部材に形成された液体入口弁をさらに有する、請求項４記載のコンテナ。
【外国語明細書】
2004130107000001.pdf